Podtech/llm-jp-corpus-v4-ja_patent huggingface dataset:
(57)【要約】      （修正有）【課題】地震による建物の倒壊を防止する建物耐震補強筋交い構造を提供する。【解決手段】外壁に穴をあけ、カラーを差込み、柱７・梁６に筋交い入り補強フレーム３をフレーム取り付けネジ４で貫通固定する。【選択図】図１
0003165034.tif 000002
【実用新案登録請求の範囲】
【請求項１】
柱（７）及び梁（６）の取り付け部の外壁（１）に穴をあけ、カラー（８）を挿入し、柱（７）・梁（６）に筋交い入り補強フレーム（３）を固定する建物耐震補強筋交い工法。
【考案の詳細な説明】
【技術分野】
【０００１】この考案は地震による建物倒壊防止補強工法に関するものである。
【背景技術】
【０００２】  従来の技術の欠点は柱・梁から金具までの長さが長く、強度不足。また、筋交いの丸棒が、いかにも弱々しく、また、デザイン的にもあまり良いとはいえない。一個建て住宅または建物が、その補強筋交いを入れる事により、簡易プレハブのごとく見栄えの悪い物になってしまっていた。
【先行技術文献】
【０００３】
【特許文献１】
【非特許文献１】
【考案の概要】
【考案が解決しようとする課題】
【０００４】  梁から金具までの長さが長く、強度不足。また、筋交いの丸棒が、いかにも弱々しく、また、デザイン的にもあまり良いとはいえない。一個建て住宅が、その補強筋交いを入れる事により、簡易プレハブのごとく見栄えの悪い住宅または建物になってしまっていた。本発明はこれらの欠点を解決する為になされたものである。
【課題を解決するための手段】
【０００５】  外壁（１）に穴をあけ、カラー（８）を差込み、柱（７）・梁（６）に筋交い入り補強フレーム（３）をフレーム取り付けネジ（４）で取り付ける。フレーム取り付けネジ（４）は、筋交い入り補強フレーム（３）及びカラー（８）を貫通し、柱（７）・梁（６）にフレーム取り付けネジ（４）をネジ込む為密着が良く、筋交い入り補強フレーム（３）を柱（７）・梁（６）に強度に取り付けられる工法である。筋交い入り補強フレーム（３）は１個から数個を積み重ねる事により、柱（７）・梁（６）とのつなぎ及び補強の筋交いとなる。本考案は以上の構成からなる建物耐震補強筋交い工法である。
【考案の効果】
【０００６】  考案の効果を説明すれば、筋交い入り補強フレーム（３）の柱（７）及び梁（６）への固定が簡単であり、屋外での作業であり、工事中も生活に何も影響が無く、壁等解体も無いので、短期間の工事期間で工事も出来るし、結局安価な工法と言える。従来の工法に比べ、強度的にもアップしているし、デザイン的にも、単なる補強の筋交いでは無く、建物のデザインの一部として、優れていると言える。
【図面の簡単な説明】
【０００７】
【図１】  実施組付図…柱（７）・梁（６）に筋交い入り補強フレーム（３）を組みつけた状態の部分図
【図２】  実施組付図［図１］の  Ａ−Ａ‘拡大断面図
【図３】  実施図  １  …建物に１カ所実施した状態を表した図
【図４】  実施図  ２  …建物に２カ所実施した状態を表した図
【考案を実施するための形態】
【０００８】  ［１］考案の構造を説明すれば、外壁（１）に穴をあけ、カラー（８）を差込み、柱（７）・梁（６）に筋交い入り補強フレーム（３）をフレーム取り付けネジ（４）で取り付ける。フレーム取り付けネジ（４）は、筋交い入り補強フレーム（３）及びカラー（８）を貫通し、柱（７）・梁（６）にフレーム取り付けネジ（４）をネジ込む為密着が良く、筋交い入り補強フレーム（３）を柱（７）・梁（６）に強度に取り付けられる工法である。筋交い入り補強フレーム（３）は１個から数個を積み重ねる事により、柱（７）・梁（６）とのつなぎ及び補強の筋交いとなる。本考案は以上の構成からなる建物耐震補強筋交い工法である。
［２］筋交い入り補強フレーム（３）は１個でも良いし、任意の個数重ねても良い。
［３］上台（５）と基礎（１０）を一体固定する金具を、筋交い入り補強フレーム（３）で兼用一体製作し、ホールダウン対策する事も考えられる。
［４］筋交い入り補強フレーム（３）を固定するため、柱（７）・梁（６）の外壁に穴をあけ、木造の場合、ビス止めまたはボルト止めする方法も考えられる。
［５］柱（７）・梁（６）が鉄骨の場合、溶接、ナッターによりボルト止めし、筋交い入り補強フレーム（３）を柱（７）・梁（６）に固定する事もできる。
［６］カラー（８）と外壁にあけられた穴のクリアランスに雨の浸透を防ぐために、直接コーキング等を施工する。
［７］雨水防止金具を取り付ける事もできる。
［８］本考案は、木造・鉄骨にも取り付け可能だし、住宅・ビル・工場のあらゆる建物に取り付ける事ができる建物耐震補強筋交い工法である。
［９］本考案は、外部に取り付ける為に考案された物であるが、外部に取り付けられない場合は、建物内部にでも取り付ける事ができる建物耐震補強筋交い工法である。
本考案は以上のような構造で、外壁（１）に穴をあけ、カラー（８）を差込み、柱（７）・梁（６）に筋交い入り補強フレーム（３）をフレーム取り付けネジ（４）で取り付ける。フレーム取り付けネジ（４）は、筋交い入り補強フレーム（３）及びカラー（８）を貫通し、柱（７）・梁（６）にフレーム取り付けネジ（４）をネジ込む建物耐震補強筋交い工法である
【符号の説明】
【０００９】外壁（１）      外壁にあけられた穴（２）      筋交い入り補強フレーム（３）
筋交い入り補強フレーム取り付けボルト（４）      土台（５）      梁（６）
柱（７）      カラー（８）      フレーム取り付け孔（９）      基礎（１０）
【図１】
0003165034.tif 000003
【図２】
0003165034.tif 000004
【図３】
0003165034.tif 000005
【図４】
0003165034.tif 000006
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
柱（７）及び梁（６）の取り付け部の外壁（１）に穴をあけ、カラー（８）を挿入し、柱（７）・梁（６）に、カラー（８）と筋交い入り補強フレーム（３）を筋交い入り補強フレーム取り付けボルト（４）で貫通固定する建物耐震補強筋交い構造。
(57)【要約】      （修正有）【課題】ブラジャーなしでも着衣でき、バストの安定化を図れる女性用衣類を提供する。【解決手段】女性用の洋服のキャミソール、ティーシャツ、ブルゾン、ノースリーブ、タンクトップ、パーカー、ワイシャツ、補正下着の胸元に、着脱可能なプラスチックゴム性のカップで、女性の胸に当たる部分がペタリとつくねん着性をもった型状のブラジャーカップをもうけ、胸（ムネ）に当ててブラジャーなしでの服着衣を可能にする。【選択図】図１
0003165035.tif 000002
【実用新案登録請求の範囲】
【請求項１】
(公序良俗違反につき、不掲載）
【考案の詳細な説明】
公序良俗違反のため、不掲載とする。
0003165035.tif 000003
【手続補正書】
【提出日】平成22年9月29日(2010.9.29)
【手続補正１】
【補正対象書類名】実用新案登録請求の範囲
【補正対象項目名】全文
【補正方法】変更
【補正の内容】
【実用新案登録請求の範囲】
【請求項１】
女性用の洋服のキャミソール、ティーシャツ、ブルゾン、ノースリーブ、タンクトップ、パーカー、ワイシャツ、補正下着の胸元に着脱可能なプラスチックゴム性のカップで、女性の胸に当たる部分がペタリとつくねん着性をもった型状のブラジャーカップをもうけた、胸（ムネ）に当ててブラジャーなしでの服着衣を可能にする女性用衣類。
【手続補正２】
【補正対象書類名】明細書
【補正対象項目名】全文
【補正方法】変更
【補正の内容】
【考案の詳細な説明】
【背景技術】
【０００１】従来の女性の服にはブラカップがついているものもあったが胸元に着脱可能なプラスチックゴム性のブラジャーカップ、胸に当たる部分がねん着性をもった型状のカップがなく不便であり今回の考案となった。
【図面の簡単な説明】
【０００２】
【図１】は女性服
【図２】はブラジャーカップ
【図３】は、つなぐもの
【手続補正３】
【補正対象書類名】図面
【補正対象項目名】全図
【補正方法】変更
【補正の内容】
【図１】
0003165035.tif 000004
【図２】
0003165035.tif 000005
【図３】
0003165035.tif 000006
(57)【要約】      （修正有）【課題】携帯性と保冷剤としての機能性を高めた薄型ペットボトルを提供する。【解決手段】ペットボトルをキャップ幅に近い厚さの薄型にする。【選択図】図１
0003165058.tif 000002
【実用新案登録請求の範囲】
【請求項１】
ボトルの厚さをキャップ幅に近い厚さにすることにより、薄型になり携帯性を高めたペットボトル。
【請求項２】
ボトルの厚さをキャップ幅に近い厚さにすることにより、薄型になり冷凍して保冷剤としての機能性を高めたペットボトル。
【考案の詳細な説明】
【技術分野】
【０００１】      本案は携帯性を高めた薄型ペットボトルに関するものである。
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】      解決しようとする問題点は、飲料ペットボトルの形状は主に円柱状のため、薄型のバッグなどに入れずらく携帯性が制限されてしまう。また、冷凍して弁当などの保冷剤としても利用しずらい。
【課題を解決するための手段】
【０００６】      ペットボトルを薄型にする。
【考案の効果】
【０００７】      ボトルの厚さをキャップ幅に近い厚さにすることにより、薄型になり携帯性が高まる。また、冷凍して保冷剤としての機能性を高めることができる。
【図面の簡単な説明】
【０００８】
【図１】  ペットボトルの形状を示した説明図である。
【考案を実施するための形態】
【・・・・】
【実施例】
【・・・・】
【産業上の利用可能性】
【・・・・】
【符号の説明】
【・・・・】
【図１】
0003165058.tif 000003
(57)【要約】      （修正有）【課題】折重ねたおくるみの合せ部分を、オープンタイプファスナーやボタンを使って固定することで、型崩れを防止できるようにしたおくるみを提供する。【解決手段】おくるみ本体は、羽毛や他繊維を布団状に詰めた物、又は毛布等の厚手の織物等を使用した物である。重ね合う表と裏にＡ１とＡ２のようにオープンファスナーを配しおくるみを固定する。赤ちゃんの頭部を風防Ｂの箇所に置き、対角線上に身体を横たえ、風防Ｂの対角部を赤ちゃんの足部に折り込み、次に左右を折り込んで赤ちゃんをくるむ。最後にファスナー（ボタン）を留める事で形を固定化できる。【選択図】図１
0003165053.tif 000002
【実用新案登録請求の範囲】
【請求項１】
おくるみ本体の表面と１つの角部分にオープンタイプファスナーまたは、ボタンを配し、接合部の固定化で形状を維持する考案
【考案の詳細な説明】
【技術分野】
【０００１】この考案は、赤ちゃんの防寒と寝具に用するおくるみに関する。
【背景技術】
【０００２】これまでのおくるみは一枚の布を折重ねて赤ちゃんをくるむという単純構造であった。
【考案の概要】
【考案が解決しようとする課題】
【０００３】これまでのおくるみでは、型崩れによる防寒性能の低下や落下しやすくなる等の危険性があったが、これを回避するための造作を課題とする。
【課題を解決するための手段】
【０００４】これらを解決する考案は、折重ねたおくるみの合せ部分を、オープンタイプファスナーやボタンを使って固定することで、型崩れ防止を目的としたおくるみである。
【考案の効果】
【０００５】この考案によれば、安定した三角垂状の状態を維持できる為、温かい空気がおくるみ内に停滞し保温性に優れ、同時に型崩れも防止する事から落下の危険性も回避できる。
また、ファスナーやボタンを解放出来る為、広げた一枚のブランケット（かけ布団）としても使用できる為、利便性も向上する。
【図面の簡単な説明】
【図１】この考案の一実施形態を示すものである。
【図２】この考案を実施する行程を示すものである。
【考案を実施するための形態】
【０００６】この考案を図１に示す。おくるみ本体は、羽毛や他繊維を布団状に詰めた物、又は毛布等の厚手の織物等を使用した物である。重ね合う表と裏にＡ１とＡ２のようにオープンファスナーを配しおくるみを固定する。赤ちゃんを図２の▲１▼から▲４▼の行程に従ってくるみ、最後にファスナー（ボタン）を留める事で形を固定化できる。
【符号の説明】
【０００７】Ａ１はオープンタイプファスナーのスライダー付の方
Ａ２はオープンタイプファスナーのエレメントのみの方
Ｂはおくるみの赤ちゃん頭部の風防
▲１▼▲２▼▲３▼は、おくるみをたたむ順序。
▲４▼は、最後にファスナー等で固定する行為。
【図１】
0003165053.tif 000003
【図２】
0003165053.tif 000004
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
・おくるみ本体の表面と１つの角部分にオープンタイプファスナーまたは、ボタンを配し、接合部の固定化で形状を維持する事を可能としたおくるみ。
(57)【要約】      （修正有）【課題】タクシー用防犯板のステーにおいて、運転席にある枕の心棒にタクシー用防犯板を取り付けて使用する際に枕のすぐ後ろに、タクシーの車体とタクシー用防犯板の隙間を僅かで取り付けることができるような防犯板用ステーを提供する。【解決手段】タクシー用防犯板１の一文字ステー２にコの字型ステー３を溶接して、コの字型ステー３には楕円形の穴を開けることにより枕の心棒８にタクシー用防犯板１を止め金具５と止めネジ６及びナットを用いてタクシーの車体とタクシー用防犯板１の隙間を僅かで取り付けることができる。【選択図】図３
0003165056.tif 000002
【実用新案登録請求の範囲】
【請求項１】
強盗から身を守る為のタクシー用防犯板のステーにおいて、上記タクシー用防犯板のステーにコ字型ステーが溶接してあり、コの字型ステーには楕円形の穴が開いているタクシー用防犯板のステー。
【請求項２】
請求項１記載のタクシー用防犯板のステーは、一文字ステーにコの字型ステーを溶接してありコの字型ステーには運転席にある枕の心棒に取り付けるための楕円形の穴が開いていることを特徴とするタクシー用防犯板のステー。
【考案の詳細な説明】
【技術分野】
【０００１】  本考案は、タクシー用防犯板のステー関するものであって、防犯板をタクシーの運転席にある枕の心棒に取り付けた場合、コの字型ステーにより防犯板が運転席の枕のすぐ後ろに来るようにしたものであり、コの字型ステーに開けられている楕円形の穴を用いて上記防犯板を左右都合の良い位置に、取り付け金具で上記枕の心棒に取り付けられるようにしてある（特にタクシー用防犯板のステーに関するものである）
【背景技術】
【０００２】  従来この種のタクシー用防犯板のステーにおいては、一文字ステーに円形の穴を開けて上記枕の心棒に取り付けられるようになってはいるが、上記枕が邪魔になるため防犯板自体に上記枕の入る穴を開けている、しかし上記防犯板を取り付ける車種によって上記枕の大きさが異なるため穴が大きすぎたり、小さすぎたりして不便である、又上記一文字ステーに開けた円形の穴では上記防犯板を左右に移動できないため防犯上不都合でもある。
【考案が解決しようとする課題】
【０００３】  従来の技術で述べたタクシー用防犯板のステーにおいては車両の枕の心棒に取り付けて使用するようになってはいるが、車種によっては枕の入る穴が大きすぎたり、又反対に小さすぎたりして実用上不便である、又一文字ステーに開けられた円形の穴では車種に合わせて防犯板を左右に動かせない為防犯板と車体の間が開きすぎて防犯上不都合でもある。
【０００４】  本考案は以上のことを考慮してなされたもので、本考案の目的は車種によって異なる枕であっても一文字ステーにコの字型ステーを溶接をして上記コの字型ステーを用いて上記枕のすぐ後ろに防犯板が来るようにしてある、又コの字型ステーには楕円形の穴が開けられており、上記楕円形の穴を用いて防犯板と車体の間の隙間を狭くする事ができるようになっている。
【課題を解決するための手段】
【０００５】  かかる課題を解決するため本考案においては、タクシー用防犯板のステーにおいて一文字ステー（２）にコの字型ステー（３）設けコの字型ステーに楕円形の穴（４）を開けたものである。
【考案を実施するための形態】
【０００６】  タクシー用防犯板（１）をタクシーの運転席にある枕の心棒（８）に取り付けて使用する際にタクシー用防犯板（１）のコの字型ステー（３）に開いている楕円形の穴（４）を用いて枕の後ろ側にタクシー用防犯板（１）とタクシーの車体との隙間を僅かな位置で止め金具（５）と止めネジ（６）及びナット（７）で容易に止めることが出来る。
【実施例】
【０００７】  以下図面について、本考案の一実施例を詳述する。
【図面の簡単な説明】
【図１】は全体としてタクシー用防犯板の斜視図である。
【図２】は全体としてタクシー用防犯板ステーの斜視図である。
【図３】はタクシー用防犯板を枕の心棒に取り付けた斜視図である。
【符号の説明】（１）  タクシー用防犯板
（２）  一文字ステー
（３）  コの字型ステー
（４）  楕円形の穴
（５）  止め金具
（６）  止めネジ
（７）  ナット
（８）  枕の心棒
（９）  ネジ【０００８】  図１は、全体としてタクシー用防犯板１を示し、タクシー用防犯板１の下部にネジ９によってタクシー用防犯板のステーが取り付けてある。【０００９】  図２は、一文字ステー２にコの字型ステー３を例えば溶接によって接続されている、又コの字型ステーには例えば抜き型によって楕円形の穴４が２ヵ所開けられている。【００１０】  図３で示すようにタクシー用防犯板１を枕の心棒８に取り付ける際にはコの字型ステー３に開けられた楕円形の穴４を用いて、左右に移動させながら都合の良い位置に止め金具５と止めネジ６及びナット７を用いてタクシー用防犯板１を枕の心棒８に取り付けることができる。【００１１】  図２における一文字ステー２及びコの字型ステー３の材質は鉄で出来ているがアルミニュウムや強化プラスチックを用いてもよい。
【考案の効果】
上述のように本考案によれば、タクシー用防犯板を運転席にある枕の心棒に取り付けて使用する際にコの字型ステーと止め金具及び止めネジとナットを用いて、運転席にある枕のすぐ後ろ側にタクシーの車体とタクシー用防犯板の隙間を調整しながら取り付けることができるタクシー用防犯板のステーを容易に実現できる。
【図１】
0003165056.tif 000003
【図２】
0003165056.tif 000004
【図３】
0003165056.tif 000005
(57)【要約】【課題】ナット本体の上部を半球状として体裁をよくしながら、締め付けが強固に行なえると共に、緩みも防止できる袋ナットを得る。【解決手段】ねじ穴１０ａを有する多角ナット本体１０の上部に半球状に膨出する膨出部１１を備えた袋ナットにおいて、膨出部１１が中実でナット本体１０から一体に連設されると共に、膨出部１１の中心部にナット本体１０のねじ穴１０ａと連続し、かつ膨出部１１の頂部わたって貫通する延長ねじ穴１１ａが形成される構造とした。【選択図】図１
0003165055.tif 000002
【実用新案登録請求の範囲】
【請求項１】
ねじ穴を有する多角形ナット本体の上部に半球状に膨出する膨出部を備えた袋ナットにおいて、膨出部が中実でナット本体から一体に連設されると共に、膨出部の中心部にナット本体のねじ穴と連続し、かつ膨出部の頂部わたって貫通する延長ねじ穴が形成されていることを特徴とする袋ナット。
【請求項２】
ねじ穴と延長ねじ穴との外方端面に面取り用のテーパ状凹み部がそれぞれ設けられていることを特徴とする請求項１記載の袋ナット。
【考案の詳細な説明】
【技術分野】
【０００１】  本考案は、ねじ穴を有する多角形ナット本体の上部に半球状に膨出する膨出部を備えた袋ナットに関するものである。
【背景技術】
【０００２】  従来、この種の袋ナットとしては、ねじ穴を有する多角形ナット本体の上部に半球状に膨出する中空の膨出部を備えたものが知られている。
【考案の概要】
【考案が解決しようとする課題】
【０００３】  ところが、上記した袋ナットによれば、ナット本体の上部に半球状に膨出する中空の膨出部を設けることにより、ねじ穴の上部側を閉じて締結ボルトの先端側を覆うことができると同時に、ナット本体の上部側を半球状として体裁よくできる反面、ねじ穴がナット本体部分のみに形成されているだけであるため、締め付け力が弱く、また、緩みも生じ易いものであった。【０００４】  そこで、本考案は、ナット本体の上部側を半球状として体裁を良好に保つことができながら、締め付けが確実強固に行なえると共に、緩み防止効果も向上できる袋ナットの提供を課題とする。
【課題を解決するための手段】
【０００５】  本願の請求項１記載の考案は、ねじ穴を有する多角形ナット本体の上部に半球状に膨出する膨出部を備えた袋ナットにおいて、膨出部が中実でナット本体から一体に連設されると共に、膨出部の中心部にナット本体のねじ穴と連続し、かつ膨出部の頂部わたって貫通する延長ねじ穴が形成されていることを特徴とする。【０００６】  本願の請求項２記載の考案は、ねじ穴と延長ねじ穴との外方端面に面取り用のテーパ状凹み部がそれぞれ設けられていることを特徴とする。
【考案の効果】
【０００７】  本願における請求項１記載の袋ナットによれば、膨出部が中実でナット本体から一体に連設されると共に、膨出部の中心部にナット本体のねじ穴と連続し、かつ膨出部の頂部わたって貫通する延長ねじ穴が形成されているので、ナット本体の上部側を半球状として体裁を良好に保ちながら、締結ボルトと袋ナットとの螺合代を長くとることができるので締め付けが確実強固に行なえると共に、緩み防止効果も向上できる。【０００８】  本願の請求項２記載の考案は、ねじ穴と延長ねじ穴との外方端面に面取り用のテーパ状凹み部をそれぞれ設けるようにすれば、ねじ穴及び延長ねじ穴を形成する際に発生するバリを削除しておくことができ、その結果、バリにより手が傷付いたり衣服などが引っかかったりするのを防止することができる。
【図面の簡単な説明】
【０００９】
【図１】本考案に係る袋ナットの縦面図である。
【図２】同袋ナットの正面図である。
【図３】同袋ナットの使用状態を示す縦面図である。
【考案を実施するための形態】
【００１０】  以下本考案に係る袋ナットを図に基づいて説明する。
【００１１】  図１及び図２は、本考案に係る袋ナットを示し、この袋ナット１は、ねじ穴１０ａを有する六角ナット本体１０の上部に半球状に膨出する中実の膨出部１１が一体に連設されていると共に、膨出部１１の中心部にナット本体１０のねじ穴１０ａと連続し、かつ膨出部１１の頂部わたって貫通する延長ねじ穴１１ａが形成されたものである。
【００１２】  ナット本体の下部には、鍔状の座部１２が形成されている。そして、図２に示すように、ねじ穴１０ａと延長ねじ穴１１ａとの各外方端面に面取り用のテーパ状凹み部１０ｂ，１１ｂがそれぞれ設けられた構成となっている。
【００１３】  また、図３は、袋ナットの使用状態を示す縦断面図で、図において符号２は締結ボルトであって、該ボルト２はそのねじ軸２０の先端面２０ａが丸みをもち、かつ締結時にそのねじ軸２０の先端面２０ａと膨出部１１の外面とで連続する球面が形成できるようにねじ軸２０の長さが設定されている。３は取付孔３ａを有する固定側部材、４は挿通孔４ａを有し、固定側部材３に取り付けられる被取付部材である。
【００１４】  次に、以上のように構成した袋ナットの作用について説明する。
【００１５】  使用に際しては、図３に示すように固定側部材３の取付孔３ａと被取付側部材４の挿通孔４ａとに締結ボルト２を挿通する一方、袋ナット１を締結ボルト２のねじ軸２０に螺合して締結する。このとき、膨出部１１が中実でナット本体１０から一体に連設されると共に、膨出部１１の中心部にナット本体１０のねじ穴１０ａと連続し、かつ膨出部１１の頂部わたって貫通する延長ねじ穴１１ａが形成されているので、締結ボルト２のねじ軸２０が袋ナット１の長さ方向全長わたって螺合しながら貫通するようにねじ込まれることになる。これにより、締結ボルト２と袋ナット１との螺合代を長くとることができ、締結ボルト２と袋ナット１とによる締め付けが確実強固に行なえると共に、緩み防止効果も向上できる。
【００１６】  また、ねじ穴１０ａと延長ねじ穴１１ａとの外方端面には、面取り用のテーパ状凹み部１０ｂ，１１ｂがそれぞれ設けられているので、ねじ穴１０ａ及び延長ねじ穴１１ａを形成する際に発生するバリを削除しておくことができ、その結果、袋ナットの取り扱い時や締結後においてバリにより手が傷付いたり衣服などが引っかかったりするのを防止することができる。
【００１７】  さらに、図３にあっては、締結ボルト２の先端を丸めて、締結ボルト２の先端部による引っかかりをなくすと共に、袋ナット１の上部が半球状を呈するようにして外観上の体裁も良好にしている。
【００１８】  なお、図に示す実施の形態では、ナット本体１０を六角形としたものについて説明したけれども、四角や八角形など多角形であってもよいこと勿論である。
【符号の説明】
【００１９】  １        袋ナット
１０      ナット本体
１０ａ    ねじ穴
１０ｂ    テーパ凹部
１１      膨出部
１１ａ    延長ねじ穴
１１ｂ    テーパ凹部
【図１】
0003165055.tif 000003
【手続補正書】
【提出日】平成22年11月1日(2010.11.1)
【手続補正１】
【補正対象書類名】図面
【補正対象項目名】全図
【補正方法】変更
【補正の内容】
【図１】
0003165055.tif 000004
【図２】
0003165055.tif 000005
【図３】
0003165055.tif 000006
(57)【要約】      （修正有）【課題】デジタルカメラを高所かつ真上に設置でき、装置は、凹凸や斜面状態の場所にも設置できる俯瞰写真撮影装置を提供する。【解決手段】ポールの下端には、装置を地面に設置するためのプレートを接合する。プレートは、一軸の接続ピンにてポールに接合され、地面の凹凸や斜面の角度に沿って設置が可能で、更に、プレートの裏側に取り付けられたスパイクなどの滑り止め部品により、滑りやすい場所でも、より安定して設置される。ポールの先端にはカメラ用雲台を取付け、カメラを真下方向、或いは、特定な角度に自由に設置できる。ポール上端に取り付けられたカメラの画像を確認するために、ケーブルを介して、手元でカメラビュー画像を確認するための画像モニタを取り付ける。ポール上端に取り付けられたカメラのシャッターを切るため、ケーブルを介して、手元にリモートシャッターを組み付ける。【選択図】図１
0003165060.tif 000002
【実用新案登録請求の範囲】
【請求項１】
考古学発掘現場、工事現場、デザイン工房などで使用する俯瞰写真撮影用装置において、カメラを高い位置に取り付けるポールの上端には、該カメラが取り付けられ、該ポールの手元位置部分には、該カメラからのカメラビュー画像モニタ用ケーブルを介して、カメラビュー画像を確認する画像モニタと、該カメラからのリモコンシャッタ用ケーブルを介して、遠隔でシャッターを切るリモコンシャッタが取り付けられ、更に、該ポールの下端には、該ポールにピンで接合され、地面の角度に沿って設置できるプレートが取り付けられるように構成される俯瞰写真撮影用装置。
【考案の詳細な説明】
【技術分野】
【０００１】  本考案は、考古学発掘現場、工事現場、デザイン工房などで使用する俯瞰写真撮影用機材に関するものである。
【背景技術】
【０００２】  考古学の遺跡発掘においては、遺構や遺物出土状況を示す平面実測図を作成する。本実測図を作成する方法には、巻き尺などで形状を手実測から図化する方法や、３次元レーザー測距機により測量、図化する方法がある。
手実測は測量に多くの時間がかかり、レーザー測距機による測量は設備コストが高く、操作も難しいため、専門の知識が必要である。
真上高所から写真撮影し、本画像をなぞり描画して実測図を作成する方法は効果的であるが、発掘現場は地面の凹凸や斜面状態により足場が不安定で、脚立や足場を組み、真上高所から撮影することは、事実上不可能で、安全面からも問題がある。【０００３】  建設現場では、施工した基礎などの状況写真を多く撮り、図面と符合させるが、建設現場で、真上高所から写真を撮ることは、足場を組む費用や手間が掛かり、狭い現場では、安全な足場を組むことが難しい。【０００４】  デザイン工房では、衣服を撮影する場合、型くずれを防ぐため、平らな台の上に置き、写真を真上から撮影する。真上から撮影する装置は、通常、堅牢なもので、設備コストが高く、大きな設置場所が必要である。
【考案の開示】
【考案が解決しようとする課題】
【０００５】  高所かつ、真上から写真撮影するためには、デジタルカメラを高所かつ真上に設置できること。又、装置は、凹凸や斜面状態の場所にも設置できること。【０００６】  デジタルカメラが高所にあるため、被写体が画角に入っていることを手元で確認できること。【０００７】  デジタルカメラが高所にあるため、手元で、シャッターを切れること。
【課題を解決するための手段】
【０００８】  装置の構造部は、カメラを高い位置に取り付けるポールとプレートで構成される。
ポールは、長さが５ｍ以上となる場合が多く、一般的には可搬性を持たせるため、複数のパイプをクランプにて結合し、一本の長尺のポールにする。
ポールの先端にはカメラ用雲台を取付け、カメラを真下方向、或いは、特定な角度に自由に設置できる。
ポールの下端には、装置を地面に設置するためのプレートを接合する。プレートは、一軸の接続ピンにてポールに接合され、地面の凹凸や斜面の角度に沿って設置が可能で、更に、プレートの裏側に取り付けられたスパイクなどの滑り止め部品により、滑りやすい場所でも、より安定して設置される。【０００９】  ポール上端に取り付けられたカメラの画像を確認するために、ケーブルを介して、手元でカメラビュー画像を確認するための画像モニタが取り付けられている。【００１０】  ポール上端に取り付けられたカメラのシャッターを切るため、ケーブルを介して、手元にリモコンシャッタが組み付けられている。
【考案の効果】
【００１１】  該俯瞰写真撮影装置は、重量も軽く、容易に持ち運びできる。
更に、ポールを手元位置で固定し、プレートを地面に接地させることで、凹凸がある斜面状態の場所にも、本装置を安定して設置できる。【００１２】  本装置に取り付けられたカメラビュー画像確認用の画像モニタにて、被写体たとえば遺構発掘現場の住居趾、柱穴、散乱した遺物などを上方から確認し、画角に納めることができる。【００１３】  手元部分に配置されたリモコンシャッタにより、上方にあるカメラのシャッターを切り、たとえば遺構発掘現場にある住居趾、柱穴、散乱した遺物などを上方から撮影できる。
【実施例】  考古学の発掘における遺構測量に使用し、測量精度や測量効率が向上する。
建設現場に使用し、現場の基礎の形状の図面との符合が簡単にできる。
デザイン工房で使用し、衣服の真上撮影が、容易にできる。
【図面の簡単な説明】    図１は、俯瞰写真撮影装置の全体図である。
【符号の説明】  １：ポール
２：ポール連結クランプ
３：プレート
４：ポール＆プレート接合ピン
５：デジタルカメラ
６：カメラ雲台
７：カメラビュー画像モニタ
８：カメラビュー画像モニタ用アタッチメント
９：カメラビュー画像モニタ用ケーブル
１０：リモコンシャッタ
１１：リモコンシャッタ用ケーブル
【図１】
0003165060.tif 000003
(57)【要約】      （修正有）【課題】足場を用いずに、安全に施行できるクロス貼機を提供する。【解決手段】伸縮する支柱の先端に、ローラー又は刷毛を釣り付け、その少し下がった位置にクロス入籠を取り付ける。【選択図】図１
0003165044.tif 000002
【実用新案登録請求の範囲】
【請求項１】
考案クロス貼機は床の上から高い所でも足場を使わずクロスを貼れる形態をそいることを特徴とする、クロス貼機の構造
【考案の詳細な説明】
【技術分野】
【０００１】考案のクロス貼機の構造に関し、クロス等を貼る時に使用する機械で特に床から手の届かない所などは足場無しでも貼れて大変便利です
【背景技術】
【０００２】従来クロス貼は高い所は足場を使い片手でクロスを持ちもう片方で刷毛を持ち両手で貼付けています大変不安定で転落などの危険も多く労災の面でも安全です【００３】考案クロス貼機の様な工具はまだみておりません便利で安全なので考案しました
【先行技術文献】
【０００４】考案クロス貼機等と類似している工具は見当たりません施工現場では大変役に立ちます
【考案の概要】
【考案が解決しようとする課題】
【０００５】考案クロス貼機は今まで手の届かぬ所は足場が必要でしたが大部分不用です
【課題を解決するための手段】
【０００６】考案クロス貼機に乗り付けしたクロスをセットして高い所でも楽に貼れます
【考案の効果】
【０００７】考案クロス貼機は床の上から殆ど足場も使わず労災害も少なく安全に施工が出来ます
【考案を実施する為の形態】
【０００８】以下考案のクロス貼機の構造を其の実施の形態について図面に示し実施例に基づいて具体的に説明する
【０００９】図１考案クロス貼機の完成図です１はクロス貼機持ち上げる竿伸縮可能２はクロスを入れる籠又は刷毛とかローラを取り付けるパイプ３はクロスを入れる籠伸縮可能４は刷毛とかローラに取替え可能
【００１０】以下に其の手順にするが考案を実施するに当たりこの説明手順に限定されるものではない
【図面の簡単な説明】
【００１１】１  考案クロス貼機を持ち上げるパイプ
２  クロス入れ籠刷毛ローラを取り付けるパイプ
３  クロスを入れる籠伸縮可
４  刷毛ローラ、取替可
▲５▼  取替え金具
【図１】
0003165044.tif 000003
【図２】
0003165044.tif 000004
【図３】
0003165044.tif 000005
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
クロス貼機に於いては床上から手の届かない所を天井足場をあまり使わず施工できる、クロス貼機であって支柱と（３）クロスを入れる籠と（４）クロスを貼り付けるローラー又は刷毛からなり、支柱はパイプで天井高に合わせて伸び縮みする突っ張り棒のようなもので、支柱の上の先端は（４）ローラー又は刷毛を取り付け、貼るクロスの巾に合わせて取替えでき、パイプの先端から少し下がった位置に（３）のクロス入り籠を取り付け、  クロス籠はクロスを入れ、クロス巾に合わせて伸び縮み出来る籠から成るクロス貼機。
【手続補正２】
【補正対象書類名】明細書
【補正対象項目名】００１１
【補正方法】変更
【補正の内容】
【００１１】
【図１】は全体図
【図２】は支柱の上の籠とローラー又は刷毛の部分の拡大図
【図３】は図２の正面の拡大図  １は支柱でクロス貼機を支えるパイプ、天井高に合わせて伸び縮みできる  ２は支柱でクロス籠と又はローラー又は刷毛支え取り付けるパイプ  ３は巾きり糊付けしたクロスを入れる籠  ４はクロスを貼り付けるローラー又は刷毛です、クロス巾は場所により異成るので巾に合わせてローラー又は刷毛は取替えできます
(57)【要約】      （修正有）【課題】浴室の壁面や天井、その他バスタブ等の汚れを落とす際、汚れ度に合わせて簡単にスポンジやナイロン製の束子等に交換が出来る浴室清掃用具を提供する。【解決手段】持ち手上部に設けたジョイント部のボルトを緩める事により表裏にスポンジやナイロン製束子を貼った台板の角度が変更出来ることを特徴とした浴室清掃用具。ジョイント部の角度を変えることにより柔らかいスポンジ又は硬めのナイロン製束子のどちらかを簡単に選んで使用することができ、別の用具に取り替える煩わしさを解消する事ができる。【選択図】図１
0003165043.tif 000002
【実用新案登録請求の範囲】
【請求項１】
台板表面にスポンジ、裏面には硬めのナイロン製束子等を貼り付け、持ち手上部に設けたジョイント部の切り替え用ネジを緩める事で台板部と持ち手の角度を変更する事が出来るようにした浴室清掃用具。
【考案の詳細な説明】
【技術分野】
【０００１】  本考案は、浴室の壁面や天井、その他バスタブ等の汚れを落とす際、汚れ度に合わせて簡単にスポンジやナイロン製の束子等に交換が出来るようにしたものである。
【背景技術】
【０００２】  従来、浴室の壁面やバスタブ等の清掃をする際、汚れ具合によってスポンジやナイロン製の束子等別の用具に交換をして使っていた。
【考案の開示】
【考案が解決しようとする課題】
【０００３】  そのために次のような問題点があった。
手許にスポンジの付いた用具しか無く、固めの束子などを必要に応じ取りに行かねば成らず煩わしい事が多々有った。
本考案は以上の問題点を解決するためになされたものである。
【課題を解決するための手段】
【０００４】  持ち手上部に設けたジョイント部（６）の角度を変える事により、表裏の面に貼り付けて有るスポンジ又はナイロン製の束子のどちらかを簡単に選ぶ事が出来る。以上を特徴とした浴室清掃用具である。
【考案の効果】
【０００５】  ジョイント部の角度を変えることにより柔らかいスポンジ又は硬めのナイロン製束子のどちらかを簡単に選んで使用することができ、別の用具に取り替える煩わしさを解消する事ができる。
【考案を実施するための最良の形態】
【０００６】  以下、本考案の形態に付いて説明する。
（イ）適当な大きさの台板（１）を作成、表側にスポンジ（２）を接着剤で貼り付ける、裏側にはナイロン製など硬めの束子（３）を接着剤で貼り付ける。
（ロ）持ち手（４）上部に切り込み部（Ａ）及び台板取り付け部（５）に切り込み部に合った出っ張り部（Ｂ）を設ける、出っ張り部を切り込み部に差込み中心部左右に通し穴を設け、通し穴片方からボルト（７）を差込む、反対側に出たボルト部分には指で簡単に回すことができるよう蝶ネジ（８）を使って締め付ける。
本考案は以上のように構成された浴室清掃用具で、これを使用するには持ち手上部に設けたジョイント部の蝶ネジを緩める事により台板と持ち手に角度を付ける事が出来、スポンジ或はナイロン製束子など汚れ具合に合わせて変更することが出来、この１本でタイル壁面や天井、又はバスタブ内等全ての清掃をすることが出来る。
【図面の簡単な説明】
【０００７】
【図１】本考案の全体図
【図２】本考案のジョイント部の拡大説明図
【図３】本考案のスポンジの使用状態を示す側面図
【図４】本考案のナイロン製束子の使用状態を示す側面図
【符号の説明】
【０００８】１  台板
２  スポンジ
３  ナイロン製束子
４  持ち手
５  台板取付け部
６  ジョイント部
７  ボルト
８  蝶ネジ
Ａ  切込み
Ｂ  出っ張り
【図１】
0003165043.tif 000003
【図２】
0003165043.tif 000004
【図３】
0003165043.tif 000005
【図４】
0003165043.tif 000006
【手続補正書】
【提出日】平成22年10月5日(2010.10.5)
【手続補正１】
【補正対象書類名】実用新案登録請求の範囲
【補正対象項目名】全文
【補正方法】変更
【補正の内容】
【実用新案登録請求の範囲】
【請求項１】
横長の四角形状からなる台板の表側に台板と同形状からなるスポンジが設けられ、台坂の裏側に台板と同形状からなるナイロン製等硬めの束子が設けられ、台板の下側端面の中央に短軸からなる台板取り付け部が下方へ突出して設けられ、台板取り付け部はジョイント部を介して前後に可動自在に長軸状の持ち手に支持されてなる浴室清掃用具。
【手続補正２】
【補正対象書類名】明細書
【補正対象項目名】０００６
【補正方法】変更
【補正の内容】
【０００６】  以下、本考案の形態に付いて説明する。
（イ）、横長の四角形状からなる台板１の表側に台板１と同形状からなるスポンジ２が接着剤で貼り付けられ、台板１の裏側に台板１と同形状からなるナイロン製など硬めの束子３が接着剤で貼り付けられる。
（ロ）、台板１の下側端面の中央に短軸からなる台板取り付け部５が下方へ突出させて設けられ、台板取り付け部５はジョイント部６を介して前後に可動自在に長軸状の持ち手４に支持される。
（ハ）ジョイント部６は、台板取り付け部５の下端から下方へ突出する出っ張りＢが設けられ、持ち手４の先端に中央をスリット状にした切込みＡが設けられ、出っ張りＢは切り込みＡに挿入自在に設けられ、切り込みＡの一側面から出っ張りＢを貫通して切り込みＡの反対側面を貫通する形で通し穴が設けられ通し穴の片方からボルト７が差し込まれ、反対側に出たボルト７は末端部が蝶ネジ８で締め付け自在に設けられ、蝶ネジ８は指で回して緩めたり締め付けたりすることができる。
本考案は以上のように構成された浴室清掃用具で、これを使用するには持ち手上部に設けたジョイント部の蝶ネジを緩めることにより台板と持ち手に角度を付けることが出来、スポンジ或いはナイロン製束子など汚れぐあいに合わせて変更することが出来、この１本でタイル壁面や天井、又はバスタブ内等すべての清掃をする事が出来る。
(57)【要約】      （修正有）【課題】手を汚すことなく楽にゴミ処理ができる三角コーナーゴミ受を提供する。【解決手段】三角コーナーゴミ受底部ネットを開閉式構造とするものである。【選択図】図１
0003165045.tif 000002
【実用新案登録請求の範囲】
【請求項１】
本考案は、コーナーゴミ受の底部ネットを開閉式としたものである。
【考案の詳細な説明】
【技術分野】
【０００１】本考案は、底ネット部を開放して貯まったダストを排出できる三角コーナーゴミ受を提供するものである。
【背景技術】
【０００２】現状の三角コーナーゴミ受では、水切りプラスチックメッシュネットを上から摘み取り出すか、ゴミ受そのものを持って引っくり返して大きなダストボックスにゴミを捨ている。
【先行技術文献】
【特許文献】
【０００３】
【特許文献１】特許公開  ２００６−８２９７８
【特許文献２】特許公開  ２００５−１７９０５４
【特許文献２】登録実用新案第３１３２６２３
【考案の概要】
【考案が解決しようとする課題】
【０００４】本考案は、三角コーナーゴミ受に貯まったゴミを捨てる際に手を汚すことなく楽に処理ができるようなコーナーゴミ受を提供するものである。
【課題を解決するための手段】
【０００５】三角コーナーゴミ受の底部ネットを開閉できる構造とする。
〔選択図〕図１，２
【考案の効果】
【０００６】図２に示すように、三角コーナーゴミ受上部取手を持ち上げて、別の大きいダストボックス上で取手を９０度回すことで、ゴミ底部ネットの開放止爪が外れゴミが落下し捨てられる。
ゴミを捨てた後は、流し台シンク内に置き再び取手を９０度元の位置まで戻せば、通常のコーナーゴミ受として使用できる。
上記の動作中には一般的に良く使用されている水切りプラスチックメッシュネット等に触れることなく、ゴミ捨て作業を行うことができる。
【図面の簡単な説明】
【０００７】
【図１】三角コーナーゴミ受全体図
【図２】三角コーナーゴミ受動作図
【符号の説明】
【０００８】１  本体ネット
２  底部ネット
３  取手
【考案を実施するための形態】
【０００９】三角コーナーゴミ受の底部ネットをゴミ本体の長辺で支持される形状として、三角形頂点部を図２に示すような取手の下部先端爪で底ネットの開き止めができる構造である。
【００１０】コーナーゴミ受上部の取手を回すことで、底部ネットの開閉が行えるものである。
【産業上の利用可能性】
【００１１】本考案に示す図では、三角コーナーゴミ受を鋼線で製作するものとなっているが、プラスチック製でも製造が可能であり、既存の製造技術向上に繋がるものと考える。
【図１】
0003165045.tif 000003
【図２】
0003165045.tif 000004
【手続補正書】
【提出日】平成22年10月4日(2010.10.4)
【手続補正１】
【補正対象書類名】実用新案登録請求の範囲
【補正対象項目名】全文
【補正方法】変更
【補正の内容】
【実用新案登録請求の範囲】
【請求項１】
底部ネットを開閉式としたことを特徴とした三角コーナーゴミ受である。
(57)【要約】      （修正有）【課題】陸上競技において、首の角度を変えて振り返る事なく、後方状態を確認出来る後方確認用頭部装着鏡を提供する。【解決手段】角度を変更できる小型の鏡を、頭部と両耳に架かるバンドとフレームで固定する。【選択図】図３
0003165041.tif 000002
【実用新案登録請求の範囲】
【請求項１】
長さ調節出来るヘッドバンドによって後頭部から両耳にバンドを回し、両耳前のストッパーでバンドを固定する。
【請求項２】
鏡を装着した軸がヘッドバンドの耳部から繰り出し、その長さを調節出来る。
【請求項３】
後方確認用の為に左右に各々、複数の鏡を使用し、一つの鏡より広い角度に渡って後方状態が確認出来る。
【請求項４】
左右の複数の鏡が各々角度を変更出来るようにして使用者個々の都合に合わせられる。
【考案の詳細な説明】
【考案の概要】
【考案が解決しようとする課題】
【０００１】陸上での速度を競う走行や徒歩での競技やその練習において、後方状態を知る為にはその度に振り向くという問題点が有った。
【課題を解決する為の手段】
【０００２】目前で角度を変更出来る複数の鏡を頭部で装着し、その鏡に後方状態が写る。
【考案の効果】
【０００３】競技者が振り向く事無く、後方状態を知る事が出来る。
【考案を実施する為の形態】
【０００４】長さを調節できるヘッドバンドを後頭部から両耳に掛ける事で固定し、その耳に掛かったバンドから各々複数の鏡の付いた軸を繰り出す事によって使用者は振り向く事無く後方状態を確認出来る。
【図面の簡単な説明】
【０００５】
【図１】本考案の平面図である。
【図２】本考案の正面図である。
【図３】本考案の斜め後方からの図である。
【符号の説明】
【０００６】１．ヘッドバンド
２．長さ調節部
３．耳前のストッパー
４．フレーム
５．鏡
６．蝶番
【図１】
0003165041.tif 000003
【図２】
0003165041.tif 000004
【図３】
0003165041.tif 000005
【手続補正書】
【提出日】平成22年9月26日(2010.9.26)
【手続補正２】
【補正対象書類名】実用新案登録請求の範囲
【補正対象項目名】全文
【補正方法】変更
【補正の内容】
【実用新案登録請求の範囲】
【請求項１】
角度を変更出来る小型の鏡を左右の眼の前に設置する為に、鏡を頭部と両耳に架かるバンドとフレームで固定する事を特徴とする、後方確認用頭部装着鏡。
(57)【要約】      （修正有）【課題】矢印のような形状をもち、従来のテープカッターで切断されたテープでは持ち得なかったテープによる表現や指示が可能となるテープカッターを提供する。【解決手段】本テープカッター本体１に切断刃２を設け、テープ支持部５に支持され繰り出されたテープ３を繰り出し方向に三角形状の尖った切断刃により、任意の長さで切断された矢印形状の切断面を持ったテープ４を作製する。従って、本テープカッターにより切断されたテープは粘着固定以外に注意喚起や指示の表示をする機能を持ったテープとなる。またテープの色を変えることで、様々な対象物への目印としての指示表示が可能となる。【選択図】図２
0003165070.tif 000002
【実用新案登録請求の範囲】
【請求項１】
テープカッター本体に三角形状のテープ切断刃を設け、切断されたテープに矢印の様な形状を持たせることを目的としたところを特徴とするテープカッター
【考案の詳細な説明】
【技術分野】
【０００１】本考案は、貼着可能なテープを切断する切断刃を備えたテープカッターに関するものである。
【背景技術】
【０００２】従来、テープカッターは梱包用や塗装マスキング用、その他の用途として広く使用されており、セロハンや紙、または布やビニールなど片面に粘着材を塗布して形成し巻き取られたテープ巻体をテープカッター本体のテープ支持部に支持させ、回転させながら引き出し、テープを切断する為の切断刃を適所に具備し構成されている。
【考案の概要】
【考案が解決しようとする課題】
【０００３】前述のように従来のテープカッターはそのほとんどが鋸刃状の刃を利用し直線的に切断するもので、テープの切断のみを目的とするものである。【０００４】本考案は切断面の形状を利用し、切断されたテープに新たな機能を持たせることを、目的とするものである。
【課題を解決するための手段】
【０００５】本考案では、切断されたテープに新たな機能を持たせるため、切断刃を従来の直線的ではなく、切断されたテープが三角形の切断形状になるよう固定した三角形の刃を備えたテープカッターを提供する。
【考案の効果】
【０００６】上述のように、本考案のテープカッターにより切断されたテープは、三角形の切断面で連続的に切断されることで、矢印のような形状をもち、従来のテープカッターで切断されたテープでは持ち得なかったテープによる表現や指示が可能となる。【０００７】例えば図面の注意指示や物体の注意部の指示、危険箇所の表示など注意喚起をすることができる、いままで貼着以外の機能を持たなかったテープに、新たな機能を持たせることができる。【０００８】また、テープの色を変えることで、多くの対象物に使用できるほか、テープに文字などを記入することで、よりいっそうの注意喚起の可能な道具としての機能をテープに持たせることが可能となる。
【図面の簡単な説明】
【０００９】
【図１】本考案の矢印テープカッターの実施例を示す斜視図である。
【図２】本テープカッターのテープと切断刃の実施形態を示す部分参考上面図である。
【考案を実施するための形態】
【００１０】  テープカッター本体のテープ切断刃はテープ引き出し方向に尖った三角形状を持ち繰り出された粘着テープを尖った三角形状の先端部に押し付けるように下側に引き下げることで、その切断形状が三角形となる、さらに必要な任意の長さで繰り出したテープを前述の要領で切断すると、切断されたテープの形状が矢印の様になる。
【実施例】
【００１１】  以下、添付図面に従って実施例を説明する。１はプラスチック等適宜素材にて形成されたテープカッター本体、２は繰り出したテープを切断する切断刃、３はテープ、４は本考案のテープカッターにより切り出されたテープの形状の一例である。
【産業上の利用可能性】
【００１２】  本考案のテープカッターにより、切断された粘着テープ等はその形状が矢印のようになり、プラスチックやセロハン、紙など様々な材質のテープに接着や固定の用途以外に、目印や注意喚起などの新たな機能を持たせることが出来る。
【符号の説明】
【００１３】１、テープカッター本体
２、切断刃
３、テープ
４、切断後のテープ形状の例
５、テープ巻取り芯支持部
【図１】
0003165070.tif 000003
【図２】
0003165070.tif 000004